(57)【要約】【課題】被収容部品を容易に取り出すことができる機器収容容器を得る。【解決手段】機器収容容器１００は、開口部５２Ｈを有し、電池４２（被収容部品）を収容する収容部５２と、開口部５２Ｈを塞ぐように収容部５２に貼着されるシート状の蓋部材７０と、を備え、蓋部材７０は、収容部５２側に位置する第１シート部材７１と、収容部５２とは反対の第１シート部材７１の表面側に位置する第２シート部材７２とを含み、蓋部材７０を収容部５２から剥がす際において、蓋部材７０は、第１シート部材７１よりも第２シート部材７２の方が剥がれ易い剥離領域６０を有する。【選択図】図２
0003167317.tif 000002
【実用新案登録請求の範囲】
【請求項１】
開口部を有し、被収容部品を収容する収容部と、
前記開口部を塞ぐように前記収容部に貼着されるシート状の蓋部材と、を備え、
前記蓋部材は、
前記収容部側に位置する第１シート部材と、
前記収容部とは反対の前記第１シート部材の表面側に位置する第２シート部材とを含み、
前記蓋部材を前記収容部から剥がす際において、前記蓋部材は、前記第１シート部材よりも前記第２シート部材の方が剥がれ易い剥離領域を有する、
機器収容容器。
【請求項２】
前記剥離領域において、前記第１シート部材の前記収容部に対する貼着力よりも、前記第２シート部材の前記第１シート部材に対する貼着力の方が低く設けられている、
請求項１に記載の機器収容容器。
【請求項３】
前記収容部は、前記開口部の周縁に、前記収容部の外表面よりも内部側に後退する段差部が設けられ、
前記第１シート部材の周縁部は、前記段差部に貼着され、
前記第２シート部材は、前記第１シート部材を覆うようにして、前記第１シート部材および前記収容部の前記外表面に貼着される、
請求項１または２に記載の機器収容容器。
【請求項４】
前記第２シート部材には、前記剥離領域と前記剥離領域でない領域との境界に切れ込みが設けられる、
請求項１から３のいずれかに記載の機器収容容器。
【請求項５】
前記剥離領域には、前記第２シート部材が剥がれた際に視認可能な表示が設けられる、
請求項１から４のいずれかに記載の機器収容容器。
【請求項６】
前記開口部は、前記蓋部材を前記収容部から剥がした後に、前記収容部内に収容された前記被収容部品を取出すための開口である、
請求項１から５のいずれかに記載の機器収容容器。
【請求項７】
前記被収容部品は、電池である、
請求項１から６のいずれかに記載の機器収容容器。
【請求項８】
請求項１から７のいずれかに記載の前記機器収容容器を備え、
前記機器収容容器内に、被測定者の体温を測定するために用いられる前記被収容部品を収容した、
電子体温計。
【考案の詳細な説明】
【技術分野】
【０００１】
本考案は、機器収容容器および電子体温計に関し、特に、電子部品などの被収容部品を収容する機器収容容器、およびその機器収容容器を備えた電子体温計に関する。
【背景技術】
【０００２】
特開２００１−２２２９８４号公報（特許文献１）には、電池ケースの分解構造に関する考案が開示される。特許文献１によれば、電池ケースの下蓋の底を分解することによって、被収容部品としての電池を取り出すことができると述べられている。
【０００３】
特開２００７−０６７２９８号公報（特許文献２）には、電子機器に関する考案が開示される。特許文献２によれば、リブを切断して板材を除去することによって、被収容部品としての内蔵電子機器を取り出すことができると述べられている。
【先行技術文献】
【特許文献】
【０００４】
【特許文献１】特開２００１−２２２９８４号公報
【特許文献２】特開２００７−０６７２９８号公報
【考案の概要】
【考案が解決しようとする課題】
【０００５】
本考案は、被収容部品を容易に取り出すことができる機器収容容器およびその機器収容容器を備えた電子体温計を提供することを目的とする。
【課題を解決するための手段】
【０００６】
本考案に基づく機器収容容器は、開口部を有し、被収容部品を収容する収容部と、上記開口部を塞ぐように上記収容部に貼着されるシート状の蓋部材と、を備え、上記蓋部材は、上記収容部側に位置する第１シート部材と、上記収容部とは反対の上記第１シート部材の表面側に位置する第２シート部材とを含み、上記蓋部材を上記収容部から剥がす際において、上記蓋部材は、上記第１シート部材よりも上記第２シート部材の方が剥がれ易い剥離領域を有する。
【０００７】
好ましくは、上記剥離領域において、上記第１シート部材の上記収容部に対する貼着力よりも、上記第２シート部材の上記第１シート部材に対する貼着力の方が低く設けられている。
【０００８】
好ましくは、上記収容部は、上記開口部の周縁に、上記収容部の外表面よりも内部側に後退する段差部が設けられ、上記第１シート部材の周縁部は、上記段差部に貼着され、上記第２シート部材は、上記第１シート部材を覆うようにして、上記第１シート部材および上記収容部の上記外表面に貼着される。
【０００９】
好ましくは、上記第２シート部材には、上記剥離領域と上記剥離領域でない領域との境界に切れ込みが設けられる。
【００１０】
好ましくは、上記剥離領域には、上記第２シート部材が剥がれた際に視認可能な表示が設けられる。
【００１１】
好ましくは、上記開口部は、上記蓋部材を上記収容部から剥がした後に、上記収容部内に収容された上記被収容部品を取出すための開口である。好ましくは、上記被収容部品は、電池である。
【００１２】
本考案に基づく電子体温計は、本考案に基づく上記の機器収容容器を備え、上記機器収容容器内に、被測定者の体温を測定するために用いられる上記被収容部品を収容した。
【考案の効果】
【００１３】
本考案によれば、被収容部品を容易に取り出すことができる機器収容容器およびその機器収容容器を備えた電子体温計を得ることができる。
【図面の簡単な説明】
【００１４】
【図１】実施の形態１における機器収容容器を示す平面図である。
【図２】図１中のＩＩ−ＩＩ線に関する矢視断面図である。
【図３】実施の形態１における機器収容容器の第２シート部材が、剥離領域において剥がされた状態を示す斜視図である。
【図４】実施の形態１の第１変形例における機器収容容器を示す断面図である。
【図５】実施の形態１の第２変形例における機器収容容器を示す断面図である。
【図６】実施の形態１の第２変形例における機器収容容器の第２シート部材が、剥離領域において剥がされた状態を示す斜視図である。
【図７】実施の形態１の第３変形例における機器収容容器を示す断面図である。
【図８】実施の形態２における電子体温計の分解された状態（組み立てられる前の状態）を示す斜視図である。
【図９】図８中のＩＸ−ＩＸ線に関する矢視断面図である（電子体温計としては組み立てられた状態が図示されている）。
【図１０】実施の形態２における電子体温計の機能ブロックを示す図である。
【考案を実施するための形態】
【００１５】
本考案に基づいた各実施の形態について、以下、図面を参照しながら説明する。各実施の形態の説明において、個数、量などに言及する場合、特に記載がある場合を除き、本考案の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００１６】
［実施の形態１］
図１〜図３を参照して、本実施の形態における機器収容容器１００について説明する。図１は、機器収容容器１００を示す平面図である。図２は、図１中のＩＩ−ＩＩ線に関する矢視断面図である。図３は、機器収容容器１００の第２シート部材７２（詳細は後述する）が剥離領域６０（詳細は後述する）において剥がされた状態を示す斜視図である。
【００１７】
図１および図２に示すように、機器収容容器１００は、収容部５２およびシート状の蓋部材７０を備える。収容部５２は、たとえば樹脂製の部材から、中空の直方体状に形成される。収容部５２は、開口部５２Ｈ（図２参照）を有する。
【００１８】
収容部５２の内部には、表示パネル３１（図１参照）等に電力を供給する電池４２（被収容部品）が収容される。電池４２から表示パネル３１への電力は、電源スイッチ３７（図１参照）が押下されることによって供給されたり、切断されたりする。電池４２は、開口部５２Ｈを通して、収容部５２内に収容されることができる。電池４２は、開口部５２Ｈを通して、収容部５２内から外部に取り出されることもできる。
【００１９】
蓋部材７０は、全体としてシート状に形成され、開口部５２Ｈを塞ぐように収容部５２に対して貼着される。開口部５２Ｈを塞ぐように収容部５２に貼着された蓋部材７０は、必要に応じて収容部５２から剥がされる。蓋部材７０が収容部５２から剥がされることによって、開口部５２Ｈが露出する。電池４２などの被収容部品は、開口部５２Ｈを通して取り出されることが可能となる。
【００２０】
蓋部材７０についてより詳細に説明する。蓋部材７０は、収容部５２側に位置する第１シート部材７１と、収容部５２とは反対の第１シート部材７１の表面に位置する第２シート部材７２とを含む。第１シート部材７１および第２シート部材７２は、平面視矩形状にそれぞれ同じ大きさで形成される。
【００２１】
第１シート部材７１は、開口部５２Ｈを塞ぐように収容部５２に対して貼着される。第１シート部材７１の周縁部７１Ｐと開口部５２Ｈ周りに位置する収容部５２の外表面５２Ｇとが相互に接合される。第２シート部材７２は、第１シート部材７１を覆うようにして第１シート部材７１の表面に貼着される。
【００２２】
蓋部材７０は、蓋部材７０の外周縁上の任意の位置に、剥離領域６０を有する。図１に示すように、本実施の形態における剥離領域６０は、機器収容容器１００の長手方向（図１紙面左右方向）において、電池４２が収容される側の端部に平面視Ｕ字形状に設けられる。同図に示すように、剥離領域６０は、機器収容容器１００の長手方向（図１紙面左右方向）において、電池４２が収容される側とは反対側の端部に平面視Ｕ字形状に設けられていてもよい。
【００２３】
剥離領域６０においては、第１シート部材７１の収容部５２（外表面５２Ｇ）に対する貼着力よりも、第２シート部材７２の第１シート部材７１（周縁部７１Ｐ）に対する貼着力の方が低い。蓋部材７０を収容部５２から剥がす際、剥離領域６０においては、第１シート部材７１よりも第２シート部材７２の方が剥がれ易い。
【００２４】
図１に示すように、剥離領域６０において第２シート部材７２が平面視Ｕ字形状に剥がれ易くするために、第２シート部材７２には平面視Ｕ字形状の切れ込み６１が設けられていてもよい。切れ込み６１は、剥離領域６０と剥離領域６０でない領域との境界線上に位置する。切れ込み６１は、第２シート部材７２を厚さ方向に切断していてもよく（図２に示す態様）、第２シート部材７２を厚さ方向に部分的に切断していてもよい。切れ込み６１は、連続線状に設けられていてもよく（図１に示す態様）、ミシン目状に設けられていてもよい。
【００２５】
（作用・効果）
図３を参照して、上述のとおり、開口部５２Ｈを塞ぐように収容部５２に貼着された蓋部材７０は、必要に応じて収容部５２から剥がされる。たとえば、環境保全などの観点から、電池４２を収容部５２および蓋部材７０とは分別して回収または廃棄する場合に、蓋部材７０は収容部５２から剥がされる。
【００２６】
蓋部材７０を収容部５２から剥がす際には、まず、剥離領域６０における第２シート部材７２が、手指などを利用して第１シート部材７１から剥がされる（矢印ＡＲ参照）。上述のとおり、剥離領域６０においては、第１シート部材７１の収容部５２（外表面５２Ｇ）に対する貼着力よりも、第２シート部材７２の第１シート部材７１（周縁部７１Ｐ）に対する貼着力の方が低い。剥離領域６０における第２シート部材７２は、第１シート部材７１から容易に剥がされることができる。
【００２７】
次に、剥離領域６０における第２シート部材７２が剥がされることによってＵ字形状に露出した第１シート部材７１の周縁部７１Ｐが、手指などを利用して収容部５２（外表面５２Ｇ）から引き剥がされる。第１シート部材７１が収容部５２から剥がされることによって、収容部５２の開口部５２Ｈが露出する。収容部５２内に収容された電池４２は、開口部５２Ｈを通して、収容部５２内から外部に容易に取り出されることができる。
【００２８】
第１シート部材７１を収容部５２（外表面５２Ｇ）から引き剥がす際には、剥離領域６０における第１シート部材７１に対してＵ字形状に剥がされた第２シート部材７２（剥離部分７２Ｕ）を利用してもよい。第２シート部材７２の剥離部分７２Ｕが、手指などを利用して収容部５２から離れる方向に引っ張られる。第１シート部材７１も同方向に引っ張られる。第１シート部材７１は、剥離部分７２Ｕを利用することによって収容部５２からさらに容易に剥がされることが可能となる。
【００２９】
したがって、本実施の形態における機器収容容器１００によれば、手指などを利用して蓋部材７０を収容部５２から容易に剥がすことができる。電池４２などの被収容部品は、容易に取り出されることができる。電池４２を収容部５２および蓋部材７０とは分別して回収または廃棄する際に、機器収容容器１００は、冒頭に説明した特開２００１−２２２９８４号公報（特許文献１）および特開２００７−０６７２９８号公報（特許文献２）に開示される考案とは異なり、ニッパまたは精密ドライバーなどを使用しなくてもよく、利便性が高い。
【００３０】
ここで、剥離領域６０において第１シート部材７１から第２シート部材７２が剥がされた場合に、所定の警告内容などを記載した表示８０（図３参照）が露出するように構成されていてもよい。本実施の形態における表示８０は、第１シート部材７１の周縁部７１Ｐ上に印字される。剥離領域６０において第２シート部材７２が積極的に剥がされ易いように構成した上で、その第２シート部材７２が剥がされることによって露出する部分に表示８０が設けられる。
【００３１】
剥離領域６０における第２シート部材７２が第１シート部材７１から剥がされたとしても、第１シート部材７１によって収容部５２における防水性は確保されている。剥離領域６０における第２シート部材７２が第１シート部材７１から剥がされることによって、蓋部材７０の全体としては、収容部５２から剥がされ易い状態となっている。機器収容容器１００の使用者などが表示８０から注意を喚起されることによって、蓋部材７０（第１シート部材７１）が意に反して剥がされてしまうことは抑制されることができる。表示８０が設けられることによって、収容部５２における防水性が破壊されることは抑制されることができる。
【００３２】
［実施の形態１の変形例］
（第１変形例）
図４を参照して、本変形例における機器収容容器１０１について説明する。図４は、機器収容容器１０１を示す断面図である。図４は、上述の実施の形態１における図２に対応している。
【００３３】
機器収容容器１０１においては、第１シート部材７１の幅よりも、第２シート部材７２の幅の方が小さい。第２シート部材７２は、第１シート部材７１上における幅方向の中央に位置する。第２シート部材７２は、第１シート部材７１を部分的に覆うようにして第１シート部材７１の表面に貼着される。
【００３４】
剥離領域６０においては、第１シート部材７１の収容部５２（外表面５２Ｇ）に対する貼着力よりも、第２シート部材７２の第１シート部材７１（周縁部７１Ｐ）に対する貼着力の方が低い。蓋部材７０を収容部５２から剥がす際、剥離領域６０においては、第１シート部材７１よりも第２シート部材７２の方が剥がれ易い。
【００３５】
（作用・効果）
蓋部材７０を収容部５２から剥がす際には、まず、剥離領域６０における第２シート部材７２が、手指などを利用して第１シート部材７１から剥がされる。剥離領域６０においては、第１シート部材７１の収容部５２（外表面５２Ｇ）に対する貼着力よりも、第２シート部材７２の第１シート部材７１に対する貼着力の方が低い。剥離領域６０における第２シート部材７２は、第１シート部材７１から容易に剥がされることができる。
【００３６】
次に、第１シート部材７１の周縁部７１Ｐが、手指などを利用して収容部５２（外表面５２Ｇ）から引き剥がされる。第１シート部材７１を収容部５２（外表面５２Ｇ）から引き剥がす際には、剥離領域６０における第１シート部材７１に対して剥がされた第２シート部材７２を利用してもよい。第１シート部材７１が収容部５２から剥がされることによって、収容部５２の開口部５２Ｈが露出する。収容部５２内に収容された電池４２は、開口部５２Ｈを通して、収容部５２内から外部に容易に取り出されることができる。
【００３７】
したがって、本変形例おける機器収容容器１０１によっても、手指などを利用して蓋部材７０を収容部５２から容易に剥がすことができる。電池４２などの被収容部品は、容易に取り出されることができる。電池４２を収容部５２および蓋部材７０とは分別して回収または廃棄する際に、機器収容容器１０１は、冒頭に説明した特開２００１−２２２９８４号公報（特許文献１）および特開２００７−０６７２９８号公報（特許文献２）に開示される考案とは異なり、ニッパまたは精密ドライバーなどを使用しなくてもよく、利便性が高い。
【００３８】
（第２変形例）
図５および図６を参照して、本変形例における機器収容容器１０２について説明する。図５は、機器収容容器１０２を示す断面図である。図５は、上述の実施の形態１における図２に対応している。図６は、機器収容容器１０１の第２シート部材７２が剥離領域６０において剥がされた状態を示す斜視図である。
【００３９】
図５に示すように、機器収容容器１０２においては、第２シート部材７２の幅よりも、第１シート部材７１の幅の方が小さい。収容部５２には、開口部５２Ｈの周縁に、段差部５２Ｊが設けられる。段差部５２Ｊは、収容部５２の外表面５２Ｇよりも内部側（図５紙面下方側）に後退するように設けられる。
【００４０】
第１シート部材７１は、段差部５２Ｊ内に位置決めされた状態で、段差部５２Ｊに貼着される。第１シート部材７１の周縁部７１Ｐが、段差部５２Ｊに貼着される。第２シート部材７２は、第１シート部材７１を覆うようにして、第１シート部材７１および収容部５２の外表面５２Ｇに貼着される。
【００４１】
剥離領域６０においては、第１シート部材７１の収容部５２（段差部５２Ｊ）に対する貼着力よりも、第２シート部材７２の収容部５２（外表面５２Ｇ）に対する貼着力の方が低い。蓋部材７０を収容部５２から剥がす際、剥離領域６０においては、第１シート部材７１よりも第２シート部材７２の方が剥がれ易い。
【００４２】
（作用・効果）
図６を参照して、蓋部材７０を収容部５２から剥がす際には、まず、剥離領域６０における第２シート部材７２が、手指などを利用して収容部５２から剥がされる（矢印ＡＲ参照）。上述のとおり、剥離領域６０においては、第１シート部材７１の収容部５２（段差部５２Ｊ）に対する貼着力よりも、第２シート部材７２の収容部５２（外表面５２Ｇ）に対する貼着力の方が低い。剥離領域６０における第２シート部材７２は、収容部５２（外表面５２Ｇ）から容易に剥がされることができる。
【００４３】
次に、第１シート部材７１の周縁部７１Ｐが、手指などを利用して収容部５２（段差部５２Ｊ）から引き剥がされる。第１シート部材７１が収容部５２から剥がされることによって、収容部５２の開口部５２Ｈが露出する。収容部５２内に収容された電池４２は、開口部５２Ｈを通して、収容部５２内から外部に容易に取り出されることができる。
【００４４】
第１シート部材７１を収容部５２（段差部５２Ｊ）から引き剥がす際には、剥離領域６０における収容部５２に対してＵ字形状に剥がされた第２シート部材７２（剥離部分７２Ｕ）を利用してもよい。第２シート部材７２の剥離部分７２Ｕが、手指などを利用して収容部５２から離れる方向に引っ張られる。第１シート部材７１も同方向に引っ張られる。第１シート部材７１は、剥離部分７２Ｕを利用することによって収容部５２からさらに容易に剥がされることが可能となる。
【００４５】
したがって、本変形例おける機器収容容器１０２によっても、手指などを利用して蓋部材７０を収容部５２から容易に剥がすことができる。電池４２などの被収容部品は、容易に取り出されることができる。電池４２を収容部５２および蓋部材７０とは分別して回収または廃棄する際に、機器収容容器１０２は、冒頭に説明した特開２００１−２２２９８４号公報（特許文献１）および特開２００７−０６７２９８号公報（特許文献２）に開示される考案とは異なり、ニッパまたは精密ドライバーなどを使用しなくてもよく、利便性が高い。
【００４６】
ここで、剥離領域６０において収容部５２から第２シート部材７２が剥がされた場合に、所定の警告内容などを記載した表示８０（図６参照）が露出するように構成されていてもよい。本実施の形態における表示８０は、収容部５２の外表面５２Ｇ上に印字される。剥離領域６０において第２シート部材７２が積極的に剥がされ易いように構成した上で、その第２シート部材７２が剥がされることによって露出する部分に表示８０が設けられる。
【００４７】
剥離領域６０における第２シート部材７２が収容部５２から剥がされたとしても、第１シート部材７１によって収容部５２における防水性は確保されている。剥離領域６０における第２シート部材７２が収容部５２から剥がされることによって、蓋部材７０の全体としては、収容部５２から剥がされ易い状態となっている。機器収容容器１０２の使用者などが表示８０から注意を喚起されることによって、蓋部材７０（第１シート部材７１）が意に反して剥がされてしまうことは抑制されることができる。表示８０が設けられることによって、収容部５２における防水性が破壊されることは抑制されることができる。
【００４８】
（第３変形例）
図７を参照して、本変形例における機器収容容器１０３について説明する。図７は、機器収容容器１０３を示す断面図である。図７は、上述の実施の形態１における図２に対応している。
【００４９】
機器収容容器１０３においては、第１シート部材７１の幅よりも、第２シート部材７２の方が小さい。第２シート部材７２は、第１シート部材７１上における幅方向の中央に位置する。第２シート部材７２は、第１シート部材７１を部分的に覆うようにして第１シート部材７１の表面に貼着される。
【００５０】
収容部５２には、上述の第２変形例（図５参照）と同様に、開口部５２Ｈの周縁に、段差部５２Ｊが設けられる。段差部５２Ｊは、収容部５２の外表面５２Ｇよりも内部側（図７紙面下方側）に後退するように設けられる。
【００５１】
第１シート部材７１は、段差部５２Ｊ内に位置決めされた状態で、段差部５２Ｊに貼着される。第１シート部材７１の周縁部７１Ｐが、段差部５２Ｊに貼着される。
【００５２】
剥離領域６０においては、第１シート部材７１の収容部５２（段差部５２Ｊ）に対する貼着力よりも、第２シート部材７２の第２シート部材７２に対する貼着力の方が低い。蓋部材７０を収容部５２から剥がす際、剥離領域６０においては、第１シート部材７１よりも第２シート部材７２の方が剥がれ易い。
【００５３】
（作用・効果）
蓋部材７０を収容部５２から剥がす際には、まず、剥離領域６０における第２シート部材７２が、手指などを利用して第１シート部材７１から剥がされる。剥離領域６０においては、第１シート部材７１の収容部５２（段差部５２Ｊ）に対する貼着力よりも、第２シート部材７２の第１シート部材７１に対する貼着力の方が低い。剥離領域６０における第２シート部材７２は、第１シート部材７１から容易に剥がされることができる。
【００５４】
次に、第１シート部材７１の周縁部７１Ｐが、手指などを利用して収容部５２（外表面５２Ｇ）から引き剥がされる。第１シート部材７１を収容部５２（外表面５２Ｇ）から引き剥がす際には、剥離領域６０における第１シート部材７１に対して剥がされた第２シート部材７２を利用してもよい。第１シート部材７１が収容部５２から剥がされることによって、収容部５２の開口部５２Ｈが露出する。収容部５２内に収容された電池４２は、開口部５２Ｈを通して、収容部５２内から外部に容易に取り出されることができる。
【００５５】
したがって、本変形例おける機器収容容器１０３によっても、手指などを利用して蓋部材７０を収容部５２から容易に剥がすことができる。電池４２などの被収容部品は、容易に取り出されることができる。電池４２を収容部５２および蓋部材７０とは分別して回収または廃棄する際に、機器収容容器１０３は、冒頭に説明した特開２００１−２２２９８４号公報（特許文献１）および特開２００７−０６７２９８号公報（特許文献２）に開示される考案とは異なり、ニッパまたは精密ドライバーなどを使用しなくてもよく、利便性が高い。
【００５６】
［実施の形態２］
図８〜図１０を参照して、本実施の形態における電子体温計２００について説明する。図８は、電子体温計２００の分解された状態（組み立てられる前の状態）を示す斜視図である。図９は、図８中のＩＸ−ＩＸ線に関する矢視断面図である（電子体温計２００としては組み立てられた状態が示される）。図１０は、電子体温計２００の機能ブロックを示す図である。
【００５７】
図８に示すように、電子体温計２００は、サーミスタ１０、制御基板２０、表示部３０、操作部３６、電源部４０、およびハウジング５０Ａを備える。電子体温計２００が組み立てられた状態においては、電子体温計２００の一端側（先端側）に、被測定者の体温を測定するためのプローブ部が形成される。
【００５８】
制御基板２０、表示部３０、操作部３６、および電源部４０は、平面視矩形状の基板２９上にそれぞれ実装される。サーミスタ１０、制御基板２０、表示部３０、操作部３６、電源部４０、および基板２９によって、被測定者の体温を測定する内蔵機器１８が構成される。
【００５９】
サーミスタ１０は、いわゆるラジアルリード型であり、被測定者の体温を計測する感温部１１と、一端が感温部１１に接続されたリード線１２とを含む。リード線１２の他端は、制御基板２０に接続される。
【００６０】
制御基板２０は、所定の位置に、制御部（図１０における制御部２２）、メモリ部（図１０におけるメモリ部２３）、および報知部（図１０における報知部２４）を有する。
【００６１】
表示部３０は、基板２９によって制御基板２０に電気的に接続される。表示部３０は、たとえばＬＣＤ（Liquid  Crystal  Display）などの表示パネル３１を有する。表示パネル３１に、サーミスタ１０によって測定された被験者の体温などが表示される。
【００６２】
表示部３０と並んで基板２９上に配置される操作部３６も、基板２９によって制御基板２０に電気的に接続される。操作部３６は、外部から押圧可能に配置された押しボタン３８を含む。図８に示すように、押しボタン３８はいわゆるフラットスイッチ型に構成されるとよい。
【００６３】
電源部４０は、ボタン型の電池４２（被収容部品）および対向配置された電極端子４１を有する。対向配置された電極端子４１同士は、樹脂４３によって相互に位置決めされる。電極端子４１も、基板２９によって制御基板２０に接続される。電池４２は、電極端子４１間に配置され、電極端子４１および基板２９を通して、制御基板２０および制御基板２０に接続された表示部３０に電力を供給する。
【００６４】
電子体温計２００においては、電子体温計２００（ハウジング５０Ａ）の長手方向に沿って、サーミスタ１０、制御基板２０、表示部３０、操作部３６および電源部４０がこの順に並んで配置される。この順序は適宜変更されてもよい。
【００６５】
ハウジング５０Ａは、シート状の蓋部材７０Ａおよび収容部５２Ａを有する。蓋部材７０Ａは、次述する収容部５２Ａ側に位置する第１シート部材７１Ａと、収容部５２Ａとは反対の第１シート部材７１Ａの表面に位置する第２シート部材７２Ａとが積層されることによって、全体としてシート状に構成される。第１シート部材７１Ａおよび第２シート部材７２Ａは、それぞれ同じ大きさおよび形状に形成される。
【００６６】
第１シート部材７１Ａおよび第２シート部材７２Ａは、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによって構成される。
【００６７】
蓋部材７０Ａは、裁断などによって製造されることができる。蓋部材７０Ａは、サーミスタ１０が配置される側（プローブ部側）に向かって徐々に幅が狭くなるように略テーパー状に構成される。第１シート部材７１Ａは、次述する収容部５２Ａの開口部５２Ｈを塞ぐように、収容部５２Ａの上端部５２Ｋに対して貼着される。第１シート部材７１Ａの周縁部と開口部５２Ｈ周りに位置する収容部５２Ａの上端部５２Ｋとが相互に接合される。第２シート部材７２Ａは、第１シート部材７１Ａを覆うようにして第１シート部材７１Ａの表面に貼着される。
【００６８】
蓋部材７０Ａの厚さは、たとえば０．１ｍｍ〜０．３ｍｍである。蓋部材７０ＡのＰＥＴ層の基材層側の面に、所定の銘板３７Ａが貼付または印刷されることができる。銘板３７Ａは、電子体温計２００が組み立てられた状態において、たとえば押しボタン３８の押下位置を示す目印として機能することができる。
【００６９】
蓋部材７０Ａには、表示パネル３１を外部から視認するための開口部５１Ｈが設けられる。開口部５１Ｈ内には、樹脂などから構成される透明保護部材５６が配置される。なお、蓋部材７０Ａが透明性を有する場合、開口部５１Ｈおよび透明保護部材５６は不要である。表示パネル３１を外部から視認するための開口部５１Ｈは、次述する収容部５２Ａに設けられてもよい。この場合、表示部３０の表示パネル３１は、収容部５２Ａ側に向かって配置される（図８とは表裏反対に示すように配置される）。
【００７０】
収容部５２Ａは、たとえばＰＥＴ、ＰＶＣ（polyvinyl chloride）、ＰＥ（polyethylene）、またはＰＰ（polypropylene）等の熱可塑性を有する部材から、たとえば真空成型によって容器状に構成される。収容部５２Ａの厚さは、たとえば０．５ｍｍ〜１．０ｍｍである。
【００７１】
収容部５２Ａは、電子体温計２００の長手方向に沿って延在する底面部５２Ｓ，５２Ｒ、底面部５２Ｓ，５２Ｒの周縁から起立する環状壁部５２Ｕ、および、環状壁部５２Ｕの起立方向の先端に設けられた上端部５２Ｋを有する。本実施の形態における上端部５２Ｋは、環状壁部５２Ｕの起立方向の先端から収容部５２Ａの外側に向かってフランジ状に延設され、全体として環状を呈している。
【００７２】
底面部５２Ｓは、電子体温計２００の一端側（先端側）に位置する。底面部５２Ｒは、底面部５２Ｓに連続し、電子体温計２００の他端側（後端側）に位置する。電子体温計２００が被測定者の腋下または舌下等に向かって挿入され易いように、底面部５２Ｓは底面部５２Ｒに比べて底浅に形成されている（底上げされている）。
【００７３】
底面部５２Ｓの略中央には、電子体温計２００の長手方向に沿って凹部５２Ｔが溝状に設けられる。電子体温計２００が組み立てられた状態においては、凹部５２Ｔ内に、サーミスタ１０（感温部１１およびリード線１２）が収容される。この場合、リード線１２は凹部５２Ｔの内周面に対して摺動自在であるとよい。
【００７４】
収容部５２Ａにおける環状壁部５２Ｕおよび上端部５２Ｋは、収容部５２Ａに対して内蔵機器１８が一方向に収容可能なように、内蔵機器１８が収容される側に向かって開口部５２Ｈを形成している。
【００７５】
ここで、蓋部材７０Ａは、蓋部材７０Ａの外周縁上の任意の位置に、剥離領域６０を有する。図８に示すように、本実施の形態における剥離領域６０は、電子体温計２００の長手方向において、電池４２が収容される側の端部に平面視Ｕ字形状に設けられる。
【００７６】
剥離領域６０においては、第１シート部材７１Ａの収容部５２Ａ（上端部５２Ｋ）に対する貼着力よりも、第２シート部材７２Ａの第１シート部材７１Ａに対する貼着力の方が低い。蓋部材７０Ａを収容部５２Ａから剥がす際、剥離領域６０においては、第１シート部材７１Ａよりも第２シート部材７２Ａの方が剥がれ易い。
【００７７】
剥離領域６０において第２シート部材７２Ａが平面視Ｕ字形状に剥がれ易くするために、第２シート部材７２Ａには平面視Ｕ字形状の切れ込み６１が設けられていてもよい。切れ込み６１は、剥離領域６０と剥離領域６０でない領域との境界線上に位置する。切れ込み６１は、第２シート部材７２Ａを厚さ方向に切断していてもよく（図９に示す態様）、第２シート部材７２Ａを厚さ方向に部分的に切断していてもよい。切れ込み６１は、連続線状に設けられていてもよく（図８に示す態様）、ミシン目状に設けられていてもよい。
【００７８】
図９を参照して、電子体温計２００が組み立てられる際には、内蔵機器１８（図８参照）が収容部５２Ａ内に収容される。内蔵機器１８が蓋部材７０Ａ（第１シート部材７１Ａ）に対して接着などの手段によって固定された状態で、内蔵機器１８が収容部５２Ａ内に収容されてもよい。この場合、開口部５１Ｈに設けられた透明保護部材５６と表示パネル３１とが対向するように、内蔵機器１８が蓋部材７０Ａ（第１シート部材７１Ａ）に対して取り付けられる。
【００７９】
また、操作部３６における押しボタン３８と蓋部材７０Ａ（蓋部材７０Ａの銘板３７Ａが形成された領域）とが対向するように、内蔵機器１８が蓋部材７０Ａに対して取り付けられる。蓋部材７０Ａ（第１シート部材７１Ａ）に内蔵機器１８が取り付けられた（貼り付けられた）状態で、蓋部材７０Ａ（第１シート部材７１Ａ）の周縁が収容部５２Ａの上端部５２Ｋに接合される。
【００８０】
当該接合によって、内蔵機器１８（サーミスタ１０、制御基板２０、表示部３０、電源部４０、および基板２９）が略気密状に封止された中空空間５３（図９参照）が形成される。
【００８１】
蓋部材７０Ａと上端部５２Ｋとを相互に接合するためには、蓋部材７０Ａと収容部５２Ａの上端部５２Ｋとが対向するように配置される。この状態で、蓋部材７０Ａと上端部５２Ｋとの接触部に超音波が付与される。付与された超音波により、蓋部材７０Ａ（シーラント層など）が一時的に溶解する。当該溶解によって、蓋部材７０Ａが収容部５２Ａの上端部５２Ｋに溶着（圧着）される。蓋部材７０Ａと収容部５２Ａの上端部５２Ｋとは、熱溶着または接着剤などによって接合されてもよい。
【００８２】
図１０を参照して、上述したように、電子体温計２００は、感温部１１、制御部２２、メモリ部２３、報知部２４、表示部３０、操作部３６、および電源部４０を、機能ブロックとして含む。制御部２２、メモリ部２３、および報知部２４は、制御基板２０に設けられる。操作部３６は、制御基板２０に設けられてもよい（制御基板２０の一部として制御基板２０に取り付けられていてもよい）。
【００８３】
感温部１１は、腋下や舌下などの被測定部位に挟み込まれることで被測定者の体温を検出する。操作部３６は、たとえば押しボタン３８（図８参照）から構成され、被測定者（または電子体温計２００の使用者）による操作を受け付けて、この外部からの命令を制御部２２または電源部４０に入力する。制御部２２は、たとえばＣＰＵ（Central  Processing  Unit）から構成され、電子体温計２００の全体を制御する。
【００８４】
メモリ部２３は、たとえばＲＯＭ（Read-Only Memory）またはＲＡＭ（Random-Access Memory）から構成され、体温測定のための処理手順を制御部２２などに実行させるためのプログラムを記憶したり、測定結果などを記憶したりする。報知部２４は、たとえばブザーから構成され、測定が終了したことや被測定者の操作を受け付けたことなどを被測定者に知らせる。報知部２４は、必要に応じて設けられるとよい。
【００８５】
表示部３０は、たとえばＬＣＤ（Liquid  Crystal  Display）などの表示パネル３１（図８参照）を含み、測定結果などを表示する。電源部４０は、たとえばボタン型の電池４２（図８参照）を含み、制御部２２に電源としての電力を供給する。
【００８６】
制御部２２は、体温測定を実行するための処理回路を含んでおり、メモリ部２３から読み出されたプログラムに基づいて体温を測定する。その際、制御部２２は、感温部１１から入力された温度データを処理することで測定結果としての体温を算出する。制御部２２は、算出した体温を表示部３０に表示させたり、算出した体温をメモリ部２３に記憶させたり、測定が終了したことを、報知部２４を用いて被測定者に知らせたりするように、電子体温計２００を制御する。
【００８７】
（作用・効果）
電子体温計２００のハウジング５０Ａは、蓋部材７０Ａおよび収容部５２Ａから簡素に構成される。蓋部材７０Ａは、ＰＥＴ等から構成される極めて薄い部材である。蓋部材７０Ａは、その厚さが薄く且つ裁断などによって製造されるため、安価に準備されることができる。収容部５２Ａも、ＰＥＴ等から真空成型などによって構成される極めて薄い部材であるため、安価に準備されることができる。電子体温計２００によれば、筐体の全部が成形樹脂から構成される一般的ないわゆるペンシル型の電子体温計に比べて、製造費用を低減することができる。
【００８８】
電子体温計２００が安価に製造されるため、電子体温計２００は、いわゆるディスポーザブルタイプとして使用されるのに適している。ディスポーザブルタイプであれば、たとえば医療現場などにおいて、電子体温計２００が使用される毎（若しくは所定の使用回数毎に）に廃棄される。電子体温計２００によれば、廃棄毎に発生する使用者側または被測定者側の費用負担も軽減することが可能である。
【００８９】
電子体温計２００においては、収容部５２Ａにおける環状壁部５２Ｕおよび上端部５２Ｋが、収容部５２Ａに対して内蔵機器１８を一方向に収容可能なように、これらが収容される側に向かって開口部５２Ｈを形成している。開口部５２Ｈに対して、内蔵機器１８（または蓋部材７０Ａに取り付けられた内蔵機器１８）は、一方向に容易に組み付けられることができる。電子体温計２００によれば、組み付け作業の自動化を図ることも可能となり、さらなる製造費用の低減が可能となる。
【００９０】
電子体温計２００の組み付けの際には、蓋部材７０Ａを重力方向の最も下側に配置し、その上に内蔵機器１８を接着固定し、さらに、内蔵機器１８に被せるように収容部５２Ａを蓋部材７０Ａ上に載置するようにしてもよい。
【００９１】
上述のとおり、リード線１２は、中空空間５３内に配置された状態において、凹部５２Ｔの内表面に対して（接着などによって固定されずに）摺動自在であるとよい。この場合、電子体温計２００が繰り返し曲げまたはねじれ変形されたとしても、リード線１２の長寿命化が図れる。なお、リード線１２を収容する凹部５２Ｔとしては、蓋部材７０Ａ側に設けられてもよい。
【００９２】
開口部５２Ｈを塞ぐように収容部５２Ａに貼着された蓋部材７０Ａは、必要に応じて収容部５２から剥がされる。たとえば、環境保全などの観点から、電池４２を収容部５２Ａおよび蓋部材７０Ａとは分別して回収または廃棄する場合に、蓋部材７０Ａは収容部５２Ａから剥がされる。
【００９３】
蓋部材７０Ａを収容部５２Ａから剥がす際には、まず、剥離領域６０における第２シート部材７２Ａが、手指などを利用して第１シート部材７１Ａから剥がされる。上述のとおり、剥離領域６０においては、第１シート部材７１Ａの収容部５２Ａ（上端部５２Ｋ）に対する貼着力よりも、第２シート部材７２Ａの第１シート部材７１Ａ（周縁部７１Ｐ）に対する貼着力の方が低い。剥離領域６０における第２シート部材７２Ａは、第１シート部材７１Ａから容易に剥がされることができる。
【００９４】
次に、剥離領域６０における第２シート部材７２Ａが剥がされることによってＵ字形状に露出した第１シート部材７１Ａの周縁部７１Ｐが、手指などを利用して収容部５２Ａ（上端部５２Ｋ）から引き剥がされる。第１シート部材７１Ａが収容部５２Ａから剥がされることによって、収容部５２Ａの開口部５２Ｈが露出する。収容部５２内に収容された電池４２は、開口部５２Ｈを通して、収容部５２Ａ内から外部に容易に取り出されることができる。
【００９５】
第１シート部材７１Ａを収容部５２Ａ（上端部５２Ｋ）から引き剥がす際には、剥離領域６０における第１シート部材７１Ａに対してＵ字形状に剥がされた第２シート部材７２Ａを利用してもよい。第２シート部材７２Ａが、手指などを利用して収容部５２Ａから離れる方向に引っ張られる。第１シート部材７１Ａも同方向に引っ張られる。第１シート部材７１Ａは、第２シート部材７２Ａを利用することによって収容部５２Ａからさらに容易に剥がされることが可能となる。
【００９６】
したがって、本実施の形態における電子体温計２００によれば、手指などを利用して蓋部材７０Ａを収容部５２Ａから容易に剥がすことができる。電池４２などの被収容部品は、容易に取り出されることができる。電池４２を収容部５２Ａおよび蓋部材７０Ａとは分別して回収または廃棄する際に、機器収容容器１００は、冒頭に説明した特開２００１−２２２９８４号公報（特許文献１）および特開２００７−０６７２９８号公報（特許文献２）に開示される考案とは異なり、ニッパまたは精密ドライバーなどを使用しなくてもよく、利便性が高い。
【００９７】
ここで、剥離領域６０において第１シート部材７１Ａから第２シート部材７２Ａが剥がされた場合に、所定の警告内容などを記載した表示（図示せず）が露出するように構成されていてもよい。剥離領域６０において第２シート部材７２Ａが積極的に剥がされ易いように構成した上で、その第２シート部材７２Ａが剥がされることによって露出する部分に、上述の実施の形態１と同様な表示が設けられる。
【００９８】
剥離領域６０における第２シート部材７２Ａが第１シート部材７１Ａから剥がされたとしても、第１シート部材７１Ａによって収容部５２Ａにおける防水性は確保されている。剥離領域６０における第２シート部材７２Ａが第１シート部材７１Ａから剥がされることによって、蓋部材７０Ａの全体としては、収容部５２Ａから剥がされ易い状態となっている。電子体温計２００の使用者などがこの表示から注意を喚起されることによって、蓋部材７０Ａ（第１シート部材７１Ａ）が意に反して剥がされてしまうことは抑制されることができる。この表示が設けられることによって、収容部５２Ａにおける防水性が破壊されることは抑制されることができる。
【００９９】
以上、本考案に基づいた各実施の形態について説明したが、今回開示された各実施の形態はすべての点で例示であって制限的なものではない。本考案の技術的範囲は実用新案登録請求の範囲によって示され、実用新案登録請求の範囲と均等の意味および範囲内でのすべての変更が含まれることが意図される。
【符号の説明】
【０１００】
１０  サーミスタ、１１  感温部、１２  リード線、１８  内蔵機器、２０  制御基板、２２  制御部、２３  メモリ部、２４  報知部、２９  基板、３０  表示部、３１  表示パネル、３６  操作部、３７  電源スイッチ、３７Ａ  銘板、３８  押しボタン、４０  電源部、４１  電極端子、４２  電池（被収容部品）、４３  樹脂、５０Ａ  ハウジング、５１Ｈ，５２Ｈ  開口部、５２，５２Ａ  収容部、５２Ｇ  外表面、５２Ｊ  段差部、５２Ｋ  上端部、５２Ｒ，５２Ｓ  底面部、５２Ｔ  凹部、５２Ｕ  環状壁部、５３  中空空間、５６  透明保護部材、６０  剥離領域、６１  切れ込み、７０，７０Ａ  蓋部材、７１，７１Ａ  第１シート部材、７１Ｐ  周縁部、７２，７２Ａ  第２シート部材、７２Ｕ  剥離部分、８０  表示、１００，１０１，１０２，１０３  機器収容容器、２００  電子体温計、ＡＲ  矢印。
【図１】
0003167317.tif 000003
【図２】
0003167317.tif 000004
【図３】
0003167317.tif 000005
【図４】
0003167317.tif 000006
【図５】
0003167317.tif 000007
【図６】
0003167317.tif 000008
【図７】
0003167317.tif 000009
【図８】
0003167317.tif 000010
【図９】
0003167317.tif 000011
【図１０】
0003167317.tif 000012